(57)【要約】  【課題】筒状口部への装着を迅速容易に行なうことができる流路接続具を提供する。  【解決手段】筒状口部ｔ１の開口縁部に固定される接続用キャップ３０と、接続用キャップ３０に支持されるシール弁２０と、接続用キャップ３０及びシール弁２０の間に保持されるシール解除部材４０とを備え、シール弁２０は、弁孔２２が形成された弾性変形部２１から突出した突起２３と、環状の支持部２４とを備え、接続用キャップ３０は、シール弁２０の支持部２４を挟持する押さえ部３２と、シール弁２０を保持する保持部３３と、導管部ｓ２の挿入を受けるスリーブ３４とを備え、シール弁２０は、シール解除部材４０によって突起２３が押圧されることにより、弾性変形部２１が変形して弁孔２２が開放することを特徴とする流路接続具。【選択図】図１
2011183113.tif 000002
【特許請求の範囲】
【請求項１】
口部内周面から張出した内フランジ部を備えた筒状口部に取付けることにより、液給排用の導管部を筒状口部に連通させるための流路接続具であって、
前記筒状口部の開口縁部に被せて固定される接続用キャップと、
該接続用キャップ３０における筒状口部装着側に支持されるシール弁と、
前記接続用キャップの導管部装着側において該接続用キャップ及び前記シール弁の間に保持されるシール解除部材とを備え、
前記シール弁は、弾性変形可能な弾性変形部と、前記弾性変形部の中央部に形成され常時は弾性的に閉止している弁孔と、前記弾性変形部において前記弁孔を囲むようにして導管部装着側へ突出した突起と、該弾性変形部の外周部から径方向外方へ延び前記筒状口部の内フランジ部に重ねられる環状の支持部とを備え、
前記接続用キャップは、前記筒状口部に係止する係止部と、前記筒状口部の内フランジ部との間に前記シール弁の支持部を挟持する環状の押さえ部と、前記シール弁を保持する保持部と、前記押さえ部の径方向中央部から導管部装着側へ起立し前記導管部の挿入を受けるスリーブとを備え、
前記シール解除部材は、前記接続用キャップのスリーブ内周面に接する環状壁と、前記シール弁の突起に接する当接部とを備え、前記スリーブ内周面に沿って摺動可能であり、前記スリーブ内周面に張出した段部により導管部装着側への抜け止めがされており、前記導管部の挿入時に該導管部に接触して押し動かされるようにされており、
前記シール弁は、前記導管部に押し動かされる前記シール解除部材によって前記突起が押圧されることにより、前記弾性変形部が変形して前記弁孔が開放することを特徴とする流路接続具。
【請求項２】
前記接続用キャップの係止部が、前記筒状口部の内周面に接する内周部と、外周面に接する外周部と、これら内周部及び外周部を結合する結合頂部とを備えて、内周部と外周部との間に前記筒状口部を挟持するようになっており、前記内周部は前記押さえ部よりも前記内フランジ部側へ延びた突環部を備え、前記保持部は前記シール弁の支持部の外周縁と嵌合する前記突環部により形成されていることを特徴とする請求項１に記載の流路接続具。
【請求項３】
前記シール解除部材が、前記スリーブの段部に当接する前記環状壁の端部から前記内フランジ部側へ縮径するテーパ状内面を有し、該テーパ状内面が前記導管部の外周面に液密に接することを特徴とする請求項１または２に記載の流路接続具。
【請求項４】
前記シール解除部材が、前記スリーブの段部に当接する前記環状壁の端部に軟質リングを備え、該軟質リングが前記導管部の端面に液密に接することを特徴とする請求項１または２に記載の流路接続具。
【請求項５】
前記シール解除部材が、前記環状壁における前記内フランジ部側の端部を覆う底壁と、該底壁の中央部から前記内フランジ部側へ突出した押圧管とを備え、該押圧管は、導管部挿入時に前記シール解除部材が押し動かされることにより、前記シール弁の弁孔周囲部を押圧することを特徴とする請求項１から４のいずれかに記載の流路接続具。
【発明の詳細な説明】
【技術分野】
【０００１】
本発明は、液給排用の導管部を配管、混注管、容器等の筒状口部に連通させるための流路接続具に関し、特に、口部内周面から張出した内フランジ部を備えた筒状口部に取付けられる接続具に関する。
【背景技術】
【０００２】
例えば、薬液の点滴や人工透析に用いられる輸液配管には、輸液の抽出や薬液の混入などを行うために混注管が配管の途中に取り付けられる。混注管は、配管の上流側と下流側とをつなぐ主流路及びこれに連通する分岐路を備えた混注管本体と、分岐路を密封し必要に応じて外部への連通を可能としたシール部とを備えたものであり、シール部の連通により分岐路を通じて主流路に対して薬液や血液の注入や抽出が行なわれる。
【０００３】
分岐路での注入・抽出は、混注管本体の開口部のゴム栓に注射針を突き刺して行なわれることがあるが、注射針のコストや用済み後の管理などの問題があるため、注射針を取り付けないで注射器先端の導管部をそのまま薬液瓶や混注管本体の開口部に刺し込む接続構造が種々提案されている。
【０００４】
例えば、ツイストロック式の注射器のように先端の導管部（細径部）の周りを雌ねじ付きカラーで囲んだものを使用する場合については、特許文献１及び特許文献２に記載の接続構造を本出願人が提案している。
【０００５】
特許文献１に記載された注射器接続具（流路接続具）は、図１５に示すように、混注管本体Ｔの側壁に設けられた分岐用の筒状口部ｔ１に設けられる。筒状口部ｔ１の内周面には内フランジ部ｔ３が張出しており、その中央部に開口部ｔ２が形成されている。注射器接続具が備えるゴム製のシール弁１０４は、常時閉止している弁孔１０３を中央部に有し、筒状口部ｔ１の内側に納められて開口部ｔ２を覆う。筒状口部ｔ１を覆うようにしてキャップ部材１０５が装着される。キャップ部材１０５は、中央部に立設され注射器先端の導管部ｓ２が挿入可能なスリーブ１０７を備え、スリーブ内にシール解除部材１０８が摺動可能に収容されている。シール解除部材１０８は、シール弁１０４の弁孔１０３に挿入される挿入部１０９と、注射器Ｓの導管部ｓ２が連結される連結部１１０と、連結部１１０から挿入部１０９に至る開口１１１とを有する。
【０００６】
この注射器接続具１００は、図１６に示すように、ツイストロック式注射器Ｓのカラーｓ１の雌ねじ部ｓ３を、スリーブ１０７の螺合片１１２に螺合させながらねじ込んだときに、注射器Ｓの導管部ｓ２とシール解除部材１０８の連結部１１０が連結され、シール解除部材１０８の挿入部１０９でシール弁１０４の弁孔１０３を押し開き、混注管本体Ｔと注射器Ｓの流路を連通させる。また、この注射器接続具１００は、キャップ部材１０５のスリーブ１０７から注射器Ｓを抜くと、シール弁１０４の弾性復元力により、図１５に示すように、混注管本体Ｔの開口部ｔ２がシール弁１０４で閉鎖された状態に復元する。
【０００７】
特許文献２に記載された注射器接続具は、これとほぼ同様の構造を有しているが、シール弁２０が注射器接続側に凸の半球状とされ、その頂部に弁孔が形成されており、注射器の導管部の挿入に伴ってシール弁２０の頂部が押し下げられることにより、弁孔が開放するようになっている。
【先行技術文献】
【特許文献】
【０００８】
【特許文献１】特許第３９２２９１４号公報
【特許文献２】特許第４０００１２５号公報
【発明の概要】
【発明が解決しようとする課題】
【０００９】
上記の注射器接続具はいずれも、シール弁１０４が混注管本体Ｔの筒状口部ｔ１の内側に納められ、筒状口部ｔ１を覆うようにしてキャップ部材１０５が装着され、キャップ部材１０５のスリーブ１０７内にシール解除部材１０８が収容されている。したがって、注射器接続具を混注管本体に装着する際には、シール弁１０４、キャップ部材１０５及びシール解除部材１０８を一つひとつ混注管本体に取り付けていく必要があり、極めて不便である。特に、これらの部材は、例えばシール弁１０４、キャップ部材１０５、シール解除部材１０８の外径が各々約１０ｍｍ、約２０ｍｍ、約５ｍｍと小さいものとなっている。したがって、その組立を人手で行なう場合は細かい作業を正確に行なう必要があり、組立を自動装置で行なう場合も微小部材を保持して正確に位置決めする必要がある。いずれにしても、その取扱いには簡易性と迅速性が要求されるが、これに十分応え得るものではなかった。
【００１０】
同様の問題は、混注管本体に接続具を装着して注射器の導管部を連通させる場合のみならず、薬液瓶や輸液バックなどの容器の筒状口部に接続具を装着する場合や、接続具に注射器以外の液給排用の導管部を連通させて流路を形成する場合にも、同様に生じる。
【００１１】
したがって、本発明は、筒状口部への装着を迅速容易に行なうことができる流路接続具を提供することを目的とする。
【課題を解決するための手段】
【００１２】
本発明は、前記目的を達成するため、口部内周面から張出した内フランジ部を備えた筒状口部に取付けることにより、液給排用の導管部を筒状口部に連通させるための流路接続具であって、前記筒状口部の開口縁部に被せて固定される接続用キャップと、該接続用キャップ３０における筒状口部装着側に支持されるシール弁と、前記接続用キャップの導管部装着側において該接続用キャップ及び前記シール弁の間に保持されるシール解除部材とを備え、前記シール弁は、弾性変形可能な弾性変形部と、前記弾性変形部の中央部に形成され常時は弾性的に閉止している弁孔と、前記弾性変形部において前記弁孔を囲むようにして導管部装着側へ突出した突起と、該弾性変形部の外周部から径方向外方へ延び前記筒状口部の内フランジ部に重ねられる環状の支持部とを備え、前記接続用キャップは、前記筒状口部に係止する係止部と、前記筒状口部の内フランジ部との間に前記シール弁の支持部を挟持する環状の押さえ部と、前記シール弁を保持する保持部と、前記押さえ部の径方向中央部から導管部装着側へ起立し前記導管部の挿入を受けるスリーブとを備え、前記シール解除部材は、前記接続用キャップのスリーブ内周面に接する環状壁と、前記シール弁の突起に接する当接部とを備え、前記スリーブ内周面に沿って摺動可能であり、前記スリーブ内周面に張出した段部により導管部装着側への抜け止めがされており、前記導管部の挿入時に該導管部に接触して押し動かされるようにされており、前記シール弁は、前記導管部に押し動かされる前記シール解除部材によって前記突起が押圧されることにより、前記弾性変形部が変形して前記弁孔が開放することを特徴とする流路接続具を提供するものである。
【００１３】
本発明に係る流路接続具は、配管や容器等の筒状口部に装着された状態において、接続用キャップは筒状口部の開口縁部に被せて係止部により固定され、シール弁は接続用キャップの筒状口部装着側に支持され、シール解除部材は接続用キャップ及びシール弁の間に保持される。この装着状態を得るために、接続用キャップは環状の押さえ部を備え、シール弁は環状の支持部を備えて、筒状口部の内フランジ部と接続用キャップとの間にシール弁が挟持されるようになっている。また、接続用キャップは、押さえ部の径方向中央部から導管部装着側へ起立したスリーブを備え、シール解除部材は、スリーブ内周面に張出した段部により導管部装着側への抜け止めがされている。
【００１４】
したがって、流路接続具を筒状口部に装着する際には、先ず、接続用キャップのスリーブ内にシール解除部材を挿入し、接続用キャップの押さえ部にシール弁の支持部を接触させた状態で保持部により該シール弁を接続用キャップに保持する。これにより、接続用キャップ、シール解除部材及びシール弁が組み合わせられた状態の流路接続具が出来上がる。この組み合わせ状態の流路接続具は、上下左右いずれの向きにしても一部が脱落することがない。しかも、接続用キャップの係止部を筒状口部に係止すれば、流路接続具全体が筒状口部に対して装着される。したがって、筒状口部に対する装着を極めて迅速容易に行なうことができる。
【００１５】
また、接続用キャップは、導管部の挿入を受けるスリーブを備え、シール弁は、弾性変形部において弁孔を囲むようにして内フランジ部とは反対側へ突出した突起を備え、シール解除部材は、シール弁の突起に接する当接部を備えると共にスリーブに挿入される導管部に接触して押し動かされるようになっている。そして、シール弁は、押し動かされるシール解除部材によって突起が押圧されることにより弾性変形部が変形して弁孔が開放する。このように、シール弁の弁孔は、突起がシール解除部材に押圧されることによって開放するので、弁孔を開くように挿入される部材（例えば、図１５，図１６の挿入部１０９）を必要とせず、またそのような挿入部材を設けた場合でも挿入部材が弁孔２２を押し開く力は小さくて済む。したがって、挿入部材が弁孔部を損傷したり弁孔からの挿入部材脱抜時に大きな力を要したりするという問題が生じない。
【００１６】
このように、シール弁が突起を押圧されることにより弾性変形部の変形に基づいて弁孔を開放するという機能は、突起が弾性変形部に設けられ、環状の支持部が弾性変形部の外周部から径方向外方へ延びるように設けられている構成に基づいている。またこの構成により、内フランジ部と押さえ部との間に支持部が挟持されることによる液密性と、弾性変形部の高い変形自由度とが確実に得られる。
【発明の効果】
【００１７】
以上のように、本発明によれば、筒状口部への装着を迅速容易に行なうことができる流路接続具を提供することができる。
【図面の簡単な説明】
【００１８】
【図１】本発明の第１の実施形態に係る流路接続具を混注管本体に装着した状態を示す縦断正面図である。
【図２】図１の流路接続具の縦断側面図である。
【図３】図１の流路接続具に導管部が接続された状態を示す縦断正面図である。
【図４】本発明の第２の実施形態に係る流路接続具を混注管本体に装着した状態を示す縦断正面図である。
【図５】図４の流路接続具に導管部が接続された状態を示す縦断正面図である。
【図６】本発明の第３の実施形態に係る流路接続具を混注管本体に装着した状態を示す縦断正面図である。
【図７】本発明の第４の実施形態に係る流路接続具を混注管本体に装着した状態を示す縦断正面図である。
【図８】図７の実施形態におけるシール解除部材を示す縦断面図及び底面図である。
【図９】図７の流路接続具の変形例を示す縦断正面図である。
【図１０】図７の流路接続具の他の変形例を示す縦断正面図である。
【図１１】本発明の第５の実施形態に係る流路接続具を混注管本体に装着した状態を示す縦断正面図である。
【図１２】図１１の流路接続具に導管部が接続された状態を示す縦断正面図である。
【図１３】本発明の第５の実施形態の変形例を示す縦断正面図である。
【図１４】図１３の流路接続具に導管部が接続された状態を示す縦断正面図である。
【図１５】従来の流路接続具を混注管本体に装着した状態を示す縦断正面図である。
【図１６】図１５の流路接続具に導管部が接続された状態を示す縦断正面図である。
【発明を実施するための形態】
【００１９】
以下、本発明の実施形態について添付図面を参照しつつ説明する。図面中の同一又は同種の部分については、同じ番号を付して説明を一部省略する。
【００２０】
図１及び図２は、本発明の第１の実施形態に係る流路接続具を混注管本体に装着した状態を示しており、図１は縦断正面図、図２は縦断側面図である。
【００２１】
この流路接続具１が装着される混注管本体Ｔは、全体が円筒状をなし、使用時にはその両端にカテーテル等の配管Ｐ１，Ｐ２（一点鎖線で示す）が接続される。側壁には混注管本体Ｔより大径の短円筒状をなす筒状口部ｔ１が設けられている。筒状口部ｔ１の底部内周面からは内フランジ部ｔ３が径方向内方へ延び、混注管本体Ｔの側壁に連続している。内フランジ部ｔ３の中央部には、開口部ｔ２が形成されており、混注管本体Ｔの流路の分岐口となる。
【００２２】
このように、流路接続具１が混注管本体Ｔに装着されて混注管が形成されている。この装着状態に基づいて説明すると、流路接続具１は、筒状口部ｔ１の開口縁部に被せて固定される接続用キャップ３０と、接続用キャップ３０の筒状口部装着側に支持されるシール弁２０と、該接続用キャップ３０及びシール弁２０の間に保持されるシール解除部材４０とを備えている。
【００２３】
シール弁２０は、弾性変形可能な弾性変形部２１と、弾性変形部の中央部に形成され常時は弾性的に閉止している弁孔２２と、弾性変形部２１において弁孔２２を囲むようにして導管部装着側へ突出した突起２３と、弾性変形部２１の外周部から外方へ延び筒状口部ｔ１の内フランジ部ｔ３に重ねられる環状の支持部２４とを備えている。この実施形態においては、シール弁２０は、全体がゴムにより一体成形され、弾性変形部２１は半球状をなし、弁孔は弾性変形部２１の頂部にスリット状に形成されている。突起２３は、弁孔２２を囲む円環状に形成されている。
【００２４】
接続用キャップ３０は、筒状口部ｔ１に係止する係止部３１と、筒状口部ｔ１の内フランジ部ｔ３との間にシール弁２０の支持部を挟持する環状の押さえ部３２と、シール弁２０を保持する保持部３３と、押さえ部３２の径方向中央部から内フランジ部ｔ３とは反対側へ起立し導管部ｓ２の挿入を受けるスリーブ３４とを備えている。接続用キャップ３０の係止部３１は、筒状口部ｔ１の内周面に接する内周部３１１と、外周面に接する外周部３１２と、これら内周部及び外周部を結合する結合頂部３１３とを備えている。装着時に内周部３１１と外周部３１２は、間に筒状口部ｔ１を挟持し、これにより、接続用キャップ３０は筒状口部ｔ１に固定される。スリーブ３４の外周面には、注射器Ｓのカラーｓ１に設けられた雌ねじｓ３に螺合する雄ねじ３４１が形成されている。保持部３３は、シール弁２０の支持部２４の外周部を緊く受け入れる径の円筒面とされており、その緊締力により、保持部３３に挿入された支持部２４を保持する。
【００２５】
シール解除部材４０は、接続用キャップ３０のスリーブ内周面に接する環状壁４１と、シール弁２０の突起２３に接する当接部４２とを備え、当接部４２の中央には開口４３が形成されている。導管部ｓ２の挿入前は、スリーブ内周面には径方向内方に張出した段部３４２が設けられ、環状壁４１の端部の当接によりシール解除部材が抜け止めされている。そして、スリーブ３４に導管部ｓ２が挿入される際には、シール解除部材４０は、環状壁４１が導管部ｓ２に接触して押し動かされる。この実施形態においては、シール解除部材４０は、スリーブ３４の段部に当接する環状壁４１の端部から内フランジ部ｔ３側へ縮径するテーパ状内面４１１を有し、該テーパ状内面が導管部ｓ２の外周面ｓ２１に液密に接する。
【００２６】
シール弁２０は、導管部ｓ２に押し動かされるシール解除部材４０によって突起２３が押圧されることにより、弾性変形部２１が変形して弁孔２２が開放するようになっている。
【００２７】
この流路接続具１は、次のようにして使用される。先ず、接続用キャップ３０のスリーブ３４内にシール解除部材４０を挿入し、接続用キャップ３０の押さえ部３２にシール弁２０の支持部２４を接触させた状態で保持部３３によりシール弁２０を接続用キャップ３０に保持する。保持部３３は、シール弁２０の支持部２４の外周部を緊く受け入れることにより、シール弁２０を保持する。これにより、接続用キャップ、シール解除部材及びシール弁が組み合わせられた状態の流路接続具となる。
【００２８】
そして、接続用キャップ３０の係止部３１を筒状口部ｔ１に係止する。これは、係止部３１の内周部３１１と外周部３１２との間に筒状口部ｔ１を挿入して挟持することにより、行なうことができる。これで図１及び図２に示した装着状態となるのであり、装着が極めて迅速容易である。
【００２９】
装着された流路接続具１に対して、注射器Ｓの導管部ｓ２を接続するには、図３に示すように、導管部ｓ２がスリーブ３４内に挿入されるようにして、カラーｓ１の雌ねじｓ３をスリーブ３４の雄ねじ３４１に螺合すればよい。これにより、導管部ｓ２の先端部はシール解除部材４０環状壁４１の内面に緊く挿入される。この状態で、さらに注射器Ｓを螺入すれば、環状壁４１は内フランジ部側へ押し動かされ、突起２３を押圧して弾性変形部２１を変形させる。これに伴って、弁孔２２は開放され、混注管本体Ｔの流路と連通状態となる。この状態で、必要に応じて、注射器Ｓから混注管本体Ｔを経て配管Ｐ１，Ｐ２に対して、液の注入または抽出が行なわれる。
【００３０】
この注入抽出の際に、液が導管部ｓ２とシール解除部材４０との間から漏出しないように、両者は液密に嵌合するように寸法が決められる。特に、この実施形態においては、導管部ｓ２は、シール解除部材４０の環状壁４１内周面のテーパ部に嵌って保持される。そして、弁孔２２を開くために導管部ｓ２によりシール解除部材４０がシール弁２０の突起２３に押し付けられると、弾性変形部２１の変形に伴って突起２３は径方向内側へ変形し、これに伴ってシール解除部材４０の底面に径方向内側へ向く摩擦力を与える。シール解除部材４０は、この摩擦力を受けて径方向へすぼむ方向に変形しようとし、導管部ｓ２を締め付ける。これにより、シール解除部材４０と導管部ｓ２との液密性がより高くなる。
【００３１】
常時（導管部ｓ２の非挿入時）において、シール弁２０の突起２３は、接続用キャップ３０のスリーブ３４内周面との間に間隙を形成するのが望ましい。これにより、導管部ｓ２を流路接続具１に挿入結合した状態から脱抜する際に、突起２３がスリーブ３４内周面に接触するのが防止され、作動の確実性が保証される。スリーブ３４内周面と突起２３との間に間隙を形成しても、シール弁２０は保持部３３により接続用キャップ３０に保持されるので、接続用キャップ３０、シール解除部材４０及びシール弁２０の一体的な組立て状態が損なわれることはない。
【００３２】
図４は、本発明の第２の実施形態に係る流路接続具１ａを示している。この流路接続具１は、先の実施形態と基本形態を共通にしており、シール弁２０ａの形状が異なっている。すなわち、シール弁２０ａは、弾性変形部２１ａが平板状に延び、その平らな面に突起２３が設けられている。シール弁２０の内フランジ部ｔ３側は、変形時に混注管本体Ｔの流路を狭めないように、凹状部２６が形成されている。
【００３３】
この流路接続具１も、先の実施形態と同様に使用することができる。図５は、注射器Ｓを結合し導管部ｓ２をシール解除部材４０に挿入した状態を示している。この状態において、弁孔２２が開放され、混注管本体Ｔの流路が注射器Ｓと連通している。この実施形態では、シール弁２０が平板状であるので、その厚さ方向への変形量が小さくても弁孔２２の開放が行なわれる。
【００３４】
図６は本発明の第３の実施形態に係る流路接続具１ｂを示している。この流路接続具１ｂは、シール解除部材４０ｂが、スリーブ３４の段部３４２に当接する環状壁４１の端部に軟質リング４５を備えている。図６に示すように、軟質リング４５は、注射器Ｓを結合する際に挿入される導管部ｓ２の端面に液密に接する。軟質リング４５は、環状壁４１に接着、熱融着等により接合することができる。
【００３５】
この実施形態においては、導管部ｓ２の先端部が軟質リング４５に当接してシール解除部材４０を押し動かすので、環状壁４１内周面への挿入状態となる場合に比べて、導管部ｓ２を脱抜するのが容易になっている。
【００３６】
図７〜図１０は、図６に示したのと同様の構造のシール解除部材４０ｂについて、環状壁４１と軟質リング４５との種々の結合形態を示す。図７は、その一例の縦断正面図であり、図８はシール解除部材４０ｂを取り出して示しており、(a) は軟質リング４５の縦断面図及び底面図、(b) は環状壁４１の縦断面図及び底面図である。この例では、環状壁４１に２つの貫通孔４１１を形成し、軟質リング４５にはこれに対応する位置に突片４５１を設け、両者を嵌合して結合するようになっている。突片４５１は、先端部が基端部より僅かに大径となっており、貫通孔４１１はこれに対応して下部が上部より僅かに大径となっている。これにより、嵌合の保持が確実となる。
【００３７】
図９は、環状壁４１の上部に環状の凹部４１２を設け、その縁部を僅かに小径としたものである。軟質リング４５には、凹部４１２に対応して縁部に環状の凸部４５２を設けている。これらの凹部４１２及び凸部４５２が嵌合することにより、環状壁４１と軟質リング４５との結合が確実となる。
【００３８】
図１０は、環状壁４１の上面に環状の溝４１３を設けたものである。軟質リング４５には、溝４１３に対応して下面に環状の突起４５３を設けている。これらの溝４１３及び突起４５３が嵌合することにより、環状壁４１と軟質リング４５との結合が確実となる。また、この嵌合に加えて接着または熱融着を採用することもできる。
【００３９】
図１１及び図１２は本発明の第３の実施形態に係る流路接続具１ｃを示しており、図１１は注射器Ｓ結合前、図１２は注射器Ｓ結合後の状態を示す。この流路接続具１ｃの基本形態は第１の実施形態と同様であり、ここではシール解除部材４０が環状壁４１の底壁４７の中央部から内フランジ部ｔ３側へ突出した押圧管４６を備えている。この押圧管４６は、常時はシール弁２０の上面付近に位置しており、注射器Ｓが結合され導管部ｓ２が挿入されることにより、押し動かされて押圧管４６先端部が弁孔２２周縁を押すように作用する。この実施形態においては、このとき押圧管４６は、弁孔２２内に挿入する。ここでも、弁孔２２は、第１の実施形態のように突起２３がシール解除部材４０に押圧されることにより、弾性変形部２１が変形して開放されるのであるが、押圧管４６の押圧がこれに加わることにより、その開放がより円滑に行なわれる。
【００４０】
また、導管部ｓ２の挿入状態では、シール弁２０から押圧管４６に対して、図１２に矢印ｆで示す締め付け力が作用している。この締め付け力が大きいと、導管部ｓ２を脱抜する際に、シール解除部材４０ｃがシール弁２０の弁孔２２内に残留してしまう場合がある。しかしながら、この実施形態では、シール解除部材４０ｃがシール弁２０の突起２３を押圧するので、締め付け力ｆはその分弱められる。したがって、導管部ｓ２の脱抜時に、シール解除部材４０ｃがシール弁２０の弁孔２２内に残留するのが防止される。
【００４１】
図１３及び図１４は上記第３の実施形態の変形例を示しており、図１３は注射器Ｓ結合前、図１４は注射器Ｓ結合後の状態を示す。押圧管４６は、常時はシール弁２０の上面付近に位置している。注射器Ｓが結合され導管部ｓ２が挿入された場合には、押圧管４６先端部が弁孔２２周縁を押すように作用するが、この実施形態においては、弁孔２２内に挿入されないか、僅かに挿入されるだけである。この実施形態においても、突起２３がシール解除部材４０に押圧されることにより弾性変形部２１が変形して弁孔２２が開放されるのを、押圧管４６の押圧が補助し、開放がより円滑に行なわれる。
【００４２】
以上、本発明の一実施形態について説明したが、本発明はこれに限定されるものではなく、その趣旨を逸脱しない限りにおいて種々の変更が可能である。例えば、注射器等の導管部との結合は、テーパ部同士の摩擦結合等によってもよく、その場合は、スリーブ３４の外周面は、テーパ状の平滑面とされ、注射器Ｓのカラーｓ１の雌ねじに螺合する雄ねじ３４１を設ける必要はない。或いは、注射器等の導管部の外周面とスリーブの内周面とをテーパ面同士の摩擦結合とすることもできる。また、注射器のみならず、配管、混注管、容器等の筒状口部に適用することもできる。
【００４３】
接続用キャップの係止部は、筒状口部を挟持する形態の他、例えばバヨネットジョイント等、種々の形態とすることができる。バヨネットジョイントを設ける場合は、接続用キャップ及び筒状口部の一方に、一部切り欠かれた環状突起を設け、他方には、切り欠き部に通される係合突起を設けた構造とし、係合突起を切り欠き部に通して周方向に回転することにより、両突起が係合して抜け止めとなるようにして固定する。
【００４４】
接続用キャップの保持部は、シール弁２０の支持部２４の外周部を緊く受け入れる径の円筒面による保持部３３とする他、種々の形態とすることができ、例えば、図１に一点鎖線で示すように、シール弁２０の支持部２４から導管部装着側へ突出した凸部２７と、接続用キャップ３０の押さえ部３２の筒状口部装着側に設けられた凹部３７とを備え、両者が緊く嵌合するものとすることができる。この場合、凸部２７及び凹部３７は、弾性変形部２１を囲むように配置され、連続または断続した環状または複数の点状に形成されたものとすることができる。
【符号の説明】
【００４５】
１，１ａ，１ｂ，１ｃ：  流路接続具
２０，２０ａ：  シール弁
２１，２１ａ：  弾性変形部
２２：  弁孔
２３：  突起
２４：  支持部
３０：  接続用キャップ
３１：  係止部
３２：  押さえ部
３３：  保持部
３４：  スリーブ
４０，４０ｂ，４０ｃ：  シール解除部材
４１：  環状壁
４２：  当接部
４５：  軟質リング
４６：  押圧管
３４２：段部
Ｓ：    注射器
ｓ２：  導管部
Ｔ：    混注管本体
ｔ１：  筒状口部
【図１】
2011183113.tif 000003
【図２】
2011183113.tif 000004
【図３】
2011183113.tif 000005
【図４】
2011183113.tif 000006
【図５】
2011183113.tif 000007
【図６】
2011183113.tif 000008
【図７】
2011183113.tif 000009
【図８】
2011183113.tif 000010
【図９】
2011183113.tif 000011
【図１０】
2011183113.tif 000012
【図１１】
2011183113.tif 000013
【図１２】
2011183113.tif 000014
【図１３】
2011183113.tif 000015
【図１４】
2011183113.tif 000016
【図１５】
2011183113.tif 000017
【図１６】
2011183113.tif 000018